(57)【要約】【課題】読み取りエラーが生じる前において、ユーザが装置の近傍にいるときに、クリーニングを促すメッセージを表示する。【解決手段】ピックアップ３を用いる動作が終了した後の期間を示す非動作期間を計時する計時手段１１と、非動作期間と予め設定された第１の期間とを比較し、比較結果において非動作期間が第１の期間より長いことが示されるときには清掃信号を出力する期間判定手段１４と、期間判定手段１４から清掃信号が送出されるとピックアップ３のクリーニングを促すメッセージを表示装置１８に表示させるメッセージ表示手段１５とを備えた構成において、期間判定手段１４はピックアップ３を用いる動作の開始となるときに非動作期間と第１の期間との比較を行う。【選択図】  図１
2005203058.tif 000002
【特許請求の範囲】
【請求項１】
ピックアップを用いる動作が終了した後の期間を示す非動作期間を計時する計時手段と、
非動作期間と予め設定された第１の期間とを比較し、比較結果において非動作期間が第１の期間より長いことが示されるときには清掃信号を出力する期間判定手段と、
期間判定手段から清掃信号が送出されるとピックアップのクリーニングを促すメッセージを表示装置に表示させるメッセージ表示手段とを備えたディスク再生装置の清掃管理装置において、
計時手段は電源がオフになるときにはピックアップを用いる動作が終了したとして非動作期間の計時を開始し、
期間判定手段は、再生位置にディスクが無い状態において電源がオンになるときには、非動作期間と第１の期間とを比較するとともに比較結果において非動作期間が第１の期間より長いことが示されるときには清掃信号を送出し、再生位置にディスクがある状態において電源がオンになるときには、非動作期間と予め設定された第２の期間とを比較するとともに比較結果において非動作期間が第２の期間より長いことが示されるときには清掃信号を送出し、
第２の期間は第１の期間より長い期間に設定されていることを特徴とするディスク装置の清掃管理装置。
【請求項２】
ピックアップを用いる動作が終了した後の期間を示す非動作期間を計時する計時手段と、
非動作期間と予め設定された第１の期間とを比較し、比較結果において非動作期間が第１の期間より長いことが示されるときには清掃信号を出力する期間判定手段と、
期間判定手段から清掃信号が送出されるとピックアップのクリーニングを促すメッセージを表示装置に表示させるメッセージ表示手段とを備えたディスク再生装置の清掃管理装置において、
期間判定手段はピックアップを用いる動作の開始となるときに非動作期間と第１の期間との比較を行うことを特徴とするディスク装置の清掃管理装置。
【請求項３】
計時手段は電源がオフになるときにはピックアップを用いる動作が終了したとして非動作期間の計時を開始し、
期間判定手段は電源がオンになるときにはピックアップを用いる動作の開始であるとして非動作期間と第１の期間との比較を行うことを特徴とする請求項２記載のディスク装置の清掃管理装置。
【発明の詳細な説明】
【技術分野】
【０００１】
本発明は、ピ１クアップを用いる動作が終了した後の期間が予め設定された期間より長くなるときには、ピックアップのクリーニングを促すメッセージを表示装置に表示するディスク装置の清掃管理装置に関するものである。
【背景技術】
【０００２】
ＤＶＤプレイヤ等のように、光ディスクの再生を行う装置ではピックアップが使用されるが、このピックアップに埃が溜まると、読み取りにおいてエラーが生じる。このため、以下に示す従来技術が提案されている（第１の従来技術とする）。すなわち、この技術においては、スピンドルモータの回転の総数が所定数を超えたときには、ピックアップに埃等が溜まっている可能性が高く、読み取りエラーを発生する恐れがあるとして、ピックアップのクリーニングを促すメッセージを表示するようにしている。また、スピンドルモータの回転の総数が所定数を超えたかどうかの判定を、光ディスクをイジェクトする回数が所定数となるときに行うことも、併せて開示されている（例えば、特許文献１参照）。
【０００３】
また、以下に示す従来技術が提案されている（第２の従来技術とする）。すなわち、この技術においては、以下に示す内容が開示されている。『このタイマー入力部３より入力された設定時間のデータは制御部４を介してメモリ部５に記録されると同時に、制御部４はタイマー６を設定された時間、例えば２４時間にセットし作動させる。次に制御部４はメモリ部５とタイマー６との出力信号を比較し、設定された条件に至ると待機用電源７を制御しアクチュエータ２を駆動する。この際アクチュエータ２の駆動終了後、タイマー６は元の設定された条件にリセットされ、繰り返しアクチュエータ２が間歇的に駆動されるようになっている。また、設定された時間にＣＤ−ＲＯＭライター１が使用状態にある場合、即ちＣＤ−ＲＯＭライター１の作動スイッチがＯＮとなると、制御部４はそれを検出してタイマー６の動作を中止し、スイッチがＯＦＦとなると、タイマー６が設定された条件で再動作するようになっている』（例えば、特許文献２参照）。
【特許文献１】特開平６−７６３３４号公報
【特許文献２】特開平５−１６６２１５号公報（第０００７段落、図１）
【発明の開示】
【発明が解決しようとする課題】
【０００４】
しかしながら上記技術を用いる場合にも、以下に示す問題が生じていた。すなわち、読み取りエラーを生じさせるような埃がピックアップに溜まる事態は、装置を動作させているときには発生しにくく、例えば、１月間、等といったような、比較的長い期間において、装置を使わないまま放置した場合に生じやすい。このため、ピックアップのクリーニングを行った後であっても、光ディスクの再生を行うことなく、１月間を超えるような期間に渡って装置を放置した場合、ピックアップに埃が溜まっている可能性が高く、読み取りエラーを招く恐れが高い。しかし、第１の従来技術を用いる場合では、スピンドルモータの回転の総数に基づく判定を行うため、長期間放置した後に再生を行う場合では、ピックアップに埃が溜まっている可能性が高く、読み取りエラーを招く恐れが極めて高いにもかかわらず、クリーニングを促すメッセージが表示されない、という不都合が生じていた。つまり、長い期間に渡って装置を放置した場合では、クリーニングを促すメッセージが表示される前に、ピックアップに埃が溜まったことが原因となる読み取りエラーが発生する、という不都合が生じる。
【０００５】
また、第２の従来技術においては、制御部はメモリ部とタイマーとの出力信号を比較し、設定された条件に至ると待機用電源を制御しアクチュエータを駆動する。すなわち、クリーニングが必要であると判定した時刻において、クリーニングを自動で行う。このような構成を、クリーニングディスクを挿入してピックアップのクリーニングを行う構成に適用しようとすると、ユーザは、クリーニングのタイミングになったかどうかを常に監視する必要がある。しかし、クリーニングのタイミングになったかどうかを常に監視することは、実用上は極めて困難なため、非常に使い勝手の悪いものとなる。
【０００６】
本発明は、上記の問題点を解決するため創案されたものであり、その目的は、長期間に渡って使用することなく放置するときにも、動作状態における読み取りエラーが生じる前であって、ユーザが装置の近傍にいるときに、クリーニングを促すメッセージを表示することのでき、且つ、クリーニングの必要があるかどうかの判定のタイミングを容易に決定することができるとともに不要に判定が行われることを防止することのでき、且つ、クリーニングを促すメッセージが不要に表示されることを防止することのできるディスク装置の清掃管理装置を提供することにある。
【０００７】
また本発明の目的は、ピックアップを用いる動作の開始となるときにピックアップのクリーニングの必要性を判定し、必要であると判定したときにクリーニングを促すメッセージを表示することにより、長期間に渡って使用することなく放置するときにも、動作状態における読み取りエラーが生じる前であって、ユーザが装置の近傍にいるときに、クリーニングを促すメッセージを表示することのできるディスク装置の清掃管理装置を提供することにある。
【０００８】
また上記目的に加え、電源がオンになるときにクリーニングの必要性を判定することによって、クリーニングの必要があるかどうかの判定のタイミングを容易に決定することができるとともに不要に判定が行われることを防止することのできるディスク装置の清掃管理装置を提供することにある。
【課題を解決するための手段】
【０００９】
上記の課題を解決するため、本発明に係るディスク装置の清掃管理装置は、ピックアップを用いる動作が終了した後の期間を示す非動作期間を計時する計時手段と、非動作期間と予め設定された第１の期間とを比較し、比較結果において非動作期間が第１の期間より長いことが示されるときには清掃信号を出力する期間判定手段と、期間判定手段から清掃信号が送出されるとピックアップのクリーニングを促すメッセージを表示装置に表示させるメッセージ表示手段とを備えたディスク再生装置の清掃管理装置に適用している。そして、計時手段は電源がオフになるときにはピックアップを用いる動作が終了したとして非動作期間の計時を開始し、期間判定手段は、再生位置にディスクが無い状態において電源がオンになるときには、非動作期間と第１の期間とを比較するとともに比較結果において非動作期間が第１の期間より長いことが示されるときには清掃信号を送出し、再生位置にディスクがある状態において電源がオンになるときには、非動作期間と予め設定された第２の期間とを比較するとともに比較結果において非動作期間が第２の期間より長いことが示されるときには清掃信号を送出し、第２の期間は第１の期間より長い期間に設定されている。
【００１０】
すなわち、ピックアップを用いる動作の開始となるとき、とは、ピックアップを使用した動作が実行される前である。また、ピックアップを用いる動作が開始されるのは、ユーザからの指示が入力されたときである。つまり、ユーザが装置近傍にいるときで、且つ、ピックアップを使用した動作が開始される前において、ピックアップのクリーニングの必要があるときには、クリーニングを促すメッセージが表示される。また、電源がオンになるタイミングは検出が容易なタイミングであり、電源のオフからオンへの移行動作は実行される回数が比較的少ない動作である。また、使用されることなく放置された期間が、再生位置にディスクが無い場合と同じであるときでも、再生位置にディスクがある場合には、クリーニングを促すメッセージが表示されない可能性が高くなる。
【００１１】
また本発明に係るディスク装置の清掃管理装置は、ピックアップを用いる動作が終了した後の期間を示す非動作期間を計時する計時手段と、非動作期間と予め設定された第１の期間とを比較し、比較結果において非動作期間が第１の期間より長いことが示されるときには清掃信号を出力する期間判定手段と、期間判定手段から清掃信号が送出されるとピックアップのクリーニングを促すメッセージを表示装置に表示させるメッセージ表示手段とを備えたディスク再生装置の清掃管理装置に適用している。そして、期間判定手段はピックアップを用いる動作の開始となるときに非動作期間と第１の期間との比較を行うようになっている。
【００１２】
すなわち、ピックアップを用いる動作の開始となるとき、とは、ピックアップを使用した動作が開始される前である。また、ピックアップを用いる動作が開始されるのは、ユーザからの指示が入力されたときである。つまり、ユーザが装置近傍にいるときで、且つ、ピックアップを使用した動作が開始される前において、ピックアップのクリーニングの必要があるときには、クリーニングを促すメッセージが表示される。
【００１３】
また上記構成に加え、計時手段は電源がオフになるときにはピックアップを用いる動作が終了したとして非動作期間の計時を開始し、期間判定手段は電源がオンになるときにはピックアップを用いる動作の開始であるとして非動作期間と第１の期間との比較を行うようになっている。すなわち、電源がオンになるタイミングは、検出が容易なタイミングである。また、電源のオフからオンへの移行動作は、実行される回数が比較的少ない動作である。
【発明の効果】
【００１４】
本発明によれば、計時手段は電源がオフになるときにはピックアップを用いる動作が終了したとして非動作期間の計時を開始し、期間判定手段は、再生位置にディスクが無い状態において電源がオンになるときには、非動作期間と第１の期間とを比較するとともに比較結果において非動作期間が第１の期間より長いことが示されるときには清掃信号を送出し、再生位置にディスクがある状態において電源がオンになるときには、非動作期間と予め設定された第２の期間とを比較するとともに比較結果において非動作期間が第２の期間より長いことが示されるときには清掃信号を送出し、第２の期間は第１の期間より長い期間に設定されている。従って、ユーザが装置近傍にいるときで、且つ、ピックアップを使用した動作が開始される前において、クリーニングを促すメッセージが表示される。また、電源がオンになるタイミングは検出が容易なタイミングであり、電源のオフからオンへの移行動作は実行される回数が比較的少ない動作となっている。また、使用されることなく放置された期間が、再生位置にディスクが無い場合と同じであるときでも、再生位置にディスクがある場合には、クリーニングを促すメッセージが表示されない可能性が高くなる。このため、長期間に渡って使用することなく放置するときにも、動作状態における読み取りエラーが生じる前であって、ユーザが装置の近傍にいるときに、クリーニングを促すメッセージを表示することができ、且つ、クリーニングの必要があるかどうかの判定のタイミングを容易に決定することができるとともに不要に判定が行われることを防止することができ、且つ、クリーニングを促すメッセージが不要に表示されることを防止することができる。
【００１５】
また本発明によれば、期間判定手段はピックアップを用いる動作の開始となるときには非動作期間と第１の期間との比較を行うようになっている。このため、ユーザが装置近傍にいるときで、且つ、ピックアップを使用した動作が開始される前において、ピックアップのクリーニングの必要があるときには、クリーニングを促すメッセージが表示されるので、長期間に渡って使用することなく放置するときにも、動作状態における読み取りエラーが生じる前であって、ユーザが装置の近傍にいるときに、クリーニングを促すメッセージを表示することができる。
【００１６】
またさらに、計時手段は電源がオフになるときにはピックアップを用いる動作が終了したとして非動作期間の計時を開始し、期間判定手段は電源がオンになるときにはピックアップを用いる動作の開始であるとして非動作期間と第１の期間との比較を行うようになっている。このため、クリーニングの必要があるかどうかの判定のタイミングを容易に決定することができるとともに不要に判定が行われることを防止することができる。
【発明を実施するための最良の形態】
【００１７】
以下、本発明の実施の形態について図を参照して説明する。
【００１８】
図１は、本発明に係るディスク装置の清掃管理装置の一実施形態の電気的構成を示すブロック線図であり、ディスク装置をＤＶＤプレイヤとした場合を示している。
【００１９】
図において、ピックアップ３は、ＣＬＶとなるように、スピンドルモータ２によって回転駆動されるＤＶＤ（ディスク）１からデータを読み取る。そして、読み取ったデータを示す信号を信号処理手段４に出力する。サーボ制御手段５は、信号処理手段４から出力されるトラッキングエラー信号とフォーカスエラー信号とに基づいて、ピックアップ３のトラッキングとフォーカシングとのサーボ制御を行う。また、信号処理手段４から出力されるクロックに基づいて、スピンドルモータ２の回転速度を制御する。
【００２０】
信号処理手段４は、ピックアップ３より出力される信号から、トラッキングエラー信号とフォーカスエラー信号とを生成してサーボ制御手段５に出力する。また、ピックアップ３より出力される信号からクロックを生成してサーボ制御手段５に出力する。また、生成したクロックを用いて、ピックアップ３より出力される信号からデジタルデータを取り出す。そして後、取り出したデータを符号化前のデータに復調する。次いで、復調されたデータのエラー訂正を行って、デコード手段６に出力する。
【００２１】
デコード手段６は、信号処理手段４から出力されるデータのうち、映像信号を示すデータについては、ＭＰＥＧ２方式で伸長した後、アナログ映像信号に変換してテレビ受像機１８に出力する。また、信号処理手段４から出力されるデータのうち、音声信号を示すデータについては、図示されない音声信号デコーダを用いて伸長した後、アナログ音声信号に変換してテレビ受像機１８に出力する。また、オンスクリーンディスプレイ回路（以下では、ＯＳＤ回路と称する）１３を用いて、必要となる文字等の情報（ピックアップ３のクリーニングを促すメッセージ等）を示す信号を映像信号に重畳する。
【００２２】
入力手段９は、装置本体の前面パネルに設けられた複数のキースイッチ（図示を省略）や、リモートコントローラ１０から送信される赤外線信号を受光する受光ユニット（図示を省略）等を備えており、ユーザからの指示が入力される。そして、入力されたユーザからの指示をマイクロコンピュータ８に送出する。計時手段１１は、計時の基準となるクロックを生成する水晶発振子１６を備えたタイマ回路となっていて、マイクロコンピュータ８からの指示に従い、電源がオフになったときからの経過時間を示す非動作期間を計時する。
【００２３】
電源部７は、電源がオンとなるときには、商用電源２１から、信号処理手段４、サーボ制御手段５、デコード手段６、マイクロコンピュータ８、入力手段９、および、計時手段１１に動作電源を供給する。また、電源がオフ（商用電源２１の供給状態における電源オフ）となるときには、マイクロコンピュータ８、入力手段９、および、計時手段１１に動作電源を供給する（動作電源の供給のための経路については図示が省略されている）。
【００２４】
マイクロコンピュータ８は、ＤＶＤ再生装置としての主要動作を制御するブロックとなっている。このため、信号処理手段４の動作とデコード手段６の動作とを制御する。また、マイクロコンピュータ８は、その機能の一部を用いて、期間判定手段１４、および、メッセージ表示手段１５を構成する。
【００２５】
期間判定手段１４は、電源がオンになったときには、ピックアップ３を用いる動作の開始であると見なし、再生位置にＤＶＤ１があるかどうかを調べる。そして、再生位置にＤＶＤ１が無いときには、計時手段１１により計時された非動作期間と、予め設定された第１の期間（例えば、１月間、等）とを比較する。そして、比較結果において、非動作期間が第１の期間より長いことが示されるときには、メッセージ表示手段１５に清掃信号を送出する。
【００２６】
一方、電源がオンになったとき、再生位置にＤＶＤ１がある場合には、非動作期間と予め設定された第２の期間（例えば、２月間、等）とを比較する。そして、比較結果において、非動作期間が第２の期間より長いことが示されるときには、メッセージ表示手段１５に清掃信号を送出する。なお、非動作期間と第１の期間との比較、あるいは、非動作期間と第２の期間との比較を行ったときには、計時手段が計時している非動作期間の値を、初期値である値０に戻す。
【００２７】
メッセージ表示手段１５は、期間判定手段１４において、非動作期間と第１の期間、あるいは、非動作期間と第２の期間とが比較され、期間判定手段１４から清掃信号が送出されるときには、ＯＳＤ回路１３を制御することによって、ピックアップ３のクリーニングを促すメッセージをテレビ受像機（請求項記載の表示装置）１８に表示する。
【００２８】
図２は、実施形態の主要動作を示すフローチャートである。必要に応じて同図を参照しつつ、実施形態の動作を説明する。
【００２９】
ＤＶＤ１の再生を終了したため、リモートコントローラ１０に電源オフの指示を入力すると、マイクロコンピュータ８は、計時手段１１に非動作期間の計時を開始させる（ステップＳ１，Ｓ２）。そして後、電源部７の動作を制御することによって、信号処理手段４、サーボ制御手段５、および、デコード手段６への動作電源の供給を停止させる。すなわち、商用電源２１が供給された状態における電源オフの状態に移行する（ステップＳ３）。
【００３０】
電源がオフになった後には、マイクロコンピュータ８は、入力手段９に設けられた電源キー、あるいは、リモートコントローラ１０に設けられた電源キーが操作されたかどうかを調べるループ動作を実行する（ステップＳ４）。そして、電源キーが操作されたことを検出したときには、電源部７の動作を制御することによって、信号処理手段４、サーボ制御手段５、デコード手段６に動作電源の供給を開始させ、動作状態に移行する。そして、動作状態に移行したときには、計時手段１１において計時されており、２進数として示されていた非動作期間を、月、日、時間により示される非動作期間として算出する（ステップＳ５）。
【００３１】
次いで、期間判定手段１４は、信号処理手段４より読み取ったステータス情報に基づき、再生位置にＤＶＤ１があったかどうかを調べる。そして、再生位置にＤＶＤ１が無いことが判明したときには、算出した非動作期間と第１の期間との比較を行う（ステップＳ６，Ｓ７）。そして、非動作期間が、例えば、７日間、等を示す場合には、非動作期間は第１の期間より短いので、動作を、ステップＳ８からステップＳ１０に移行する。つまり、ピックアップ３のクリーニングを促すメッセージを表示することなく、計時手段１１が計時する非動作期間の値を、初期値である値０に戻す。
【００３２】
一方、ＤＶＤ１の再生が行われることのない状態が長期に渡って続いたため、非動作期間が、例えば、４０日間、等を示す場合、非動作期間が第１の期間より長くなるので、動作はステップＳ８からステップＳ９に移行する。このため、期間判定手段１４はメッセージ表示手段１５に清掃信号を出力する。その結果、メッセージ表示手段１５は、ＯＳＤ回路１３を制御することによって、テレビ受像機１８に、ピックアップ３のクリーニングを促すメッセージを、例えば、１０秒間において表示する。そして後、計時手段１１が計時する非動作期間の値を初期値である値０に戻す（ステップＳ１０）。
【００３３】
なお、このとき、テレビ受像機１８に表示されるメッセージには、例えば、『ピックアップに埃が溜まっている恐れがあります。クリーニングディスクを用いてピックアップの清掃を行って下さい』、等が用いられる。
【００３４】
また、電源がオンになった後に、再生位置にＤＶＤ１があるかどうかを調べたとき、再生位置にＤＶＤ１があることが判明したときには、期間判定手段１４は、算出した非動作期間と第２の期間（例えば、２月間）とを比較する（ステップＳ６，Ｓ１１）。そして、非動作期間が、例えば、４０日、等を示す場合には、非動作期間は第２の期間より短いので、動作を、ステップＳ１２からステップＳ１０に移行する。つまり、ピックアップ３のクリーニングを促すメッセージを表示することなく、計時手段１１が計時する非動作期間の値を初期値である値０に戻す。
【００３５】
一方、ＤＶＤ１の再生が行われることなく放置された状態が長期間続いたため、非動作期間が、例えば、７０日間、等を示す場合、非動作期間は第２の期間より長くなるので、動作はステップＳ１２からステップＳ９に移行する。このため、期間判定手段１４はメッセージ表示手段１５に清掃信号を出力する。その結果、メッセージ表示手段１５は、ＯＳＤ回路１３を制御することによって、テレビ受像機１８に、ピックアップ３のクリーニングを促すメッセージを１０秒間表示する。そして後、計時手段１１が計時する非動作期間の値を初期値である値０に戻す（ステップＳ１０）。
【００３６】
なお、第２の期間を第１の期間より長い期間としているのは、再生位置にＤＶＤ１があると、ピックアップ３がＤＶＤ１によって上部側を覆われる状態になる。このため、再生位置にＤＶＤ１が無い場合に比べると、ピックアップ３に埃が溜まりにくくなって、ピックアップ３を使用しない期間が比較的長く続くときにも、ピックアップ３のクリーニングの必要がないからである。
【００３７】
すなわち、使用されることなく放置された期間が、再生位置にＤＶＤ１が無い場合と同じであるときでも、再生位置にＤＶＤ１がある場合には、クリーニングを促すメッセージが表示されない可能性が高くなる。つまり、ピックアップ３に埃が溜まっている可能性が低いにもかかわらず、クリーニングを促すメッセージが不要に表示されるという事態の発生が防止されることになる。
【００３８】
なお、本発明は上記実施形態に限定されず、ディスク装置については、ＤＶＤプレイヤに限定されず、その他の任意のディスク（光ディスクや光磁気ディスク）に記録された信号を再生する装置、あるいは、任意の種類のディスクに記録された信号の再生と、前記ディスクへの信号の記録とを可能にする装置の場合にも、同様に適用することができる。
【００３９】
また、第１の期間および第２の期間については、第２の期間を第１の期間より長くする場合では、その他の任意の期間（例えば、第１の期間を２０日、第２の期間を４０日、等）とすることができる。
【図面の簡単な説明】
【００４０】
【図１】本発明に係るディスク装置の清掃管理装置の一実施形態の電気的構成を示すブロック線図である。
【図２】実施形態の主要動作を示すフローチャートである。
【符号の説明】
【００４１】
１  ＤＶＤ（ディスク）
３  ピックアップ
１１  計時手段
１４  期間判定手段
１５  メッセージ表示手段
１８  テレビ受像機（表示装置）
Ｓ２  計時手段を構成するステップ
Ｓ６，Ｓ７，Ｓ１１  期間判定手段を構成するステップ
Ｓ９  メッセージ表示手段を構成するステップ
【図１】
2005203058.tif 000003
【図２】
2005203058.tif 000004